【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
動画処理方法であって、前記方法は、
第１画像ブロックの時間領域参照ブロックの動きベクトルを確定し、ここで、前記時間領域参照ブロック、及び前記第１画像ブロックは、異なる画像に位置することと、
前記時間領域参照ブロックの動きベクトルが特定参照画像を指向する場合、又は前記第１画像ブロックの参照画像が特定参照画像である場合、処理後の前記時間領域参照ブロックの動きベクトルに基づいて、前記第１画像ブロックの動きベクトルを確定し、前記処理後の前記時間領域参照ブロックの動きベクトル、及び処理前の時間領域参照ブロックの動きベクトルは、同じであることと、又は
前記時間領域参照ブロックの動きベクトルが特定参照画像を指向する場合、又は前記第１画像ブロックの参照画像が特定参照画像である場合、前記時間領域参照ブロックの動きベクトルを参照することを放棄することで前記第１画像ブロックの動きベクトルを取得することと、又は
前記時間領域参照ブロックの動きベクトルが特定参照画像を指向する場合、又は前記第１画像ブロックの参照画像が特定参照画像である場合、前記時間領域参照ブロックの動きベクトルを前記第１画像ブロックの動きベクトルとすることと、を含む動画処理方法。
【請求項２】
前記処理後の前記時間領域参照ブロックの動きベクトルは、
数値を１とするスケーリング比率に基づいて、前記時間領域参照ブロックの動きベクトルをスケーリング後に得られた動きベクトル、又は
スケーリングステップをスキップした前記時間領域参照ブロックの動きベクトルを含む請求項１に記載の動画処理方法。
【請求項３】
前記方法は、
前記時間領域参照ブロックの動きベクトルが非特定参照画像を指向し、かつ前記第１画像ブロックの参照画像が非特定参照画像である場合、前記時間領域参照ブロックの動きベクトルが指向する参照画像と前記時間領域参照ブロックがある画像との間の時間距離、及び前記第１画像ブロックの参照画像と前記第１画像ブロックがある画像との間の時間距離に基づいて、前記第１画像ブロックの動きベクトルを確定することをさらに含む請求項１又は２に記載の動画処理方法。
【請求項４】
前記方法は、
前記時間領域参照ブロックの動きベクトルが指向する参照画像と前記時間領域参照ブロックがある画像との間の時間距離、及び前記第１画像ブロックの参照画像と前記第１画像ブロックがある画像との間の時間距離に基づいて、前記時間領域参照ブロックの動きベクトルのスケーリング比率を確定することと、
前記スケーリング比率でスケーリング後の前記時間領域参照ブロックの動きベクトルに基づいて、前記第１画像ブロックの動きベクトルを確定することと、を含む請求項３に記載の動画処理方法。
【請求項５】
前記方法は、
前記第１画像ブロックの動き情報候補リストを構築し、前記動き情報候補リストは、前記第１画像ブロックの空間領域参照ブロックの動きベクトルと前記第１画像ブロックの参照フレームインデックス値とのうちの少なくとも一つを含み、ここで、前記空間領域参照ブロック、及び前記第１画像ブロックは、同じ画像に位置することと、
前記第１画像ブロックの動き情報候補リストに基づいて、前記第１画像ブロックの動きベクトルを確定することと、をさらに含む請求項１〜４のいずれか一項に記載の動画処理方法。
【請求項６】
前記処理後の前記時間領域参照ブロックの動きベクトルに基づいて、前記第１画像ブロックの動きベクトルを確定することは、
前記処理後の前記時間領域参照ブロックの動きベクトルを前記動きベクトル候補リストに加えることを含み、
又は、前記時間領域参照ブロックの動きベクトルを参照することを放棄することで前記第１画像ブロックの動きベクトルを取得することは、
前記時間領域参照ブロックの動きベクトルを前記動きベクトル候補リストに加えることを放棄することを含む請求項５に記載の動画処理方法。
【請求項７】
前記第１画像ブロックは、符号化ユニットＣＵである請求項５又は６に記載の動画処理方法。
【請求項８】
前記第１画像ブロックは、第２画像ブロックの一部であり、前記方法は、
前記第１画像ブロックの動き情報候補リストを構築し、前記動き情報候補リストは、前記第２画像ブロックの空間領域参照ブロックの動きベクトルと前記第１画像ブロックの参照フレームインデックス値とのうちの少なくとも一つを含み、ここで、前記空間領域参照ブロック、及び前記第２画像ブロックは、同じ画像に位置することと、
前記第１画像ブロックの動き情報候補リストに基づいて、前記第２画像ブロックの動きベクトルを確定することと、をさらに含む請求項１〜３のいずれか一項に記載の動画処理方法。
【請求項９】
前記第１画像ブロックの参照フレームインデックス値と前記第２画像ブロックの参照フレームインデックス値とは同じであり、又は、
前記第１画像ブロックの参照フレームインデックス値は、前記第２画像ブロックの参照フレームインデックス値に基づいて確定される請求項８に記載の動画処理方法。
【請求項１０】
前記処理後の前記時間領域参照ブロックの動きベクトルに基づいて、前記第１画像ブロックの動きベクトルを確定することは、
前記処理後の前記時間領域参照ブロックの動きベクトルを前記第２画像ブロックの動き情報候補リストに加えることを含み、
又は、前記時間領域参照ブロックの動きベクトルを参照することを放棄することで前記第１画像ブロックの動きベクトルを取得することは、
前記時間領域参照ブロックの動きベクトルを前記第２画像ブロックの動き情報候補リストに加えることを放棄することを含む請求項８又は９に記載の動画処理方法。
【請求項１１】
前記第２画像ブロックは、符号化ユニットＣＵであり、前記第１画像ブロックは、前記符号化ユニットにおけるサブ画像ブロックであり、前記サブ画像ブロックは、前記符号化ユニットから分割されて得られる請求項８又は９に記載の動画処理方法。
【請求項１２】
前記第１画像ブロックの時間領域参照ブロックの動きベクトルを確定することは、
前記第１画像ブロックの参照画像セットにおいて、前記第１画像ブロックがある画像と距離が最も近い画像を確定することと、
確定された前記画像に基づいて、前記第１画像ブロックの時間領域参照ブロック、及び前記時間領域参照ブロックの動きベクトルを確定することと、を含む請求項１〜１１のいずれか一項に記載の動画処理方法。
【請求項１３】
前記時間領域参照ブロックは、前記確定された画像において、前記第１画像ブロックの位置と同じ画像ブロックであり、又は、
前記時間領域参照ブロックは、前記第１画像ブロックに隣接する画像ブロックの動きベクトルが前記確定された画像で指向する画像ブロックであり、又は、
前記時間領域参照ブロックは、前記第１画像ブロックに隣接する画像ブロックの動きベクトルが前記確定された画像で指向する位置の数値カットオフされた位置に対応する画像ブロックであり、又は、
前記時間領域参照ブロックは、前記確定された画像において、前記第１画像ブロックの位置と同じ画像ブロックの動きベクトルが指向する画像ブロックであり、又は、
前記時間領域参照ブロックは、前記確定された画像において、前記第１画像ブロックの位置と同じ画像ブロックの特定隣接画像ブロックであり、又は、
前記時間領域参照ブロックは、前記確定された画像において、前記第１画像ブロックの位置と同じ画像ブロックの特定隣接画像ブロックの動きベクトルが指向する画像ブロックである請求項１２に記載の動画処理方法。
【請求項１４】
前記第１画像ブロックの時間領域参照ブロックの動きベクトルを確定することは、
前記第１画像ブロックがある画像において、前記第１画像ブロックの特定隣接画像ブロックを確定することと、
前記特定隣接画像ブロックの参照画像に基づいて、前記第１画像ブロックの時間領域参照ブロック、及び前記時間領域参照ブロックの動きベクトルを確定することと、を含む請求項１〜１１のいずれか一項に記載の動画処理方法。
【請求項１５】
前記時間領域参照ブロックは、前記特定隣接画像ブロックの参照画像において、前記第１画像ブロックの位置と同じ画像ブロックであり、又は、
前記時間領域参照ブロックは、前記特定隣接画像ブロックの参照画像において、前記特定隣接画像ブロックの位置と同じ画像ブロックであり、又は、
前記時間領域参照ブロックは、前記特定隣接画像ブロックの動きベクトルが指向する画像ブロックである請求項１４に記載の動画処理方法。
【請求項１６】
前記第１画像ブロックの特定隣接画像ブロックを確定することは、
前記第１画像ブロックがある画像において、特定走査順序により第１の隣接画像ブロックを取得することと、又は、
前記第１画像ブロックがある画像において、特定走査順序により前記第１画像ブロックと同じ参照フレームインデックス値を有する第１の隣接画像ブロックを得ることと、又は、
特定走査順序により動き情報を有する第１の画像ブロックを得ることと、又は、
特定走査順序により前記第１画像ブロックがある画像のデフォルトされた参照画像と同じ第１の隣接画像ブロックを得ることと、を含む請求項１４に記載の動画処理方法。
【請求項１７】
前記特定走査順序は、前記第１画像ブロックを検索起点とし、
下から上へ、左から右へ、右から左へ、上から下へとのうちの一つの方向に沿って走査順序とする請求項１６に記載の動画処理方法。
【請求項１８】
前記特定参照画像は、長期参照画像、合成フレーム、出力されないフレームのうちの少なくとも一つを含む請求項１〜１４のいずれか一項に記載の動画処理方法。
【請求項１９】
前記方法は、
前記参照画像が出力されないフレームであると確定し、前記参照画像が合成フレームである確定する場合、前記参照画像を前記特定参照画像であると確定することをさらに含む請求項１〜１５のいずれか一項に記載の動画処理方法。
【請求項２０】
前記非特定参照画像は、短期参照画像を含む請求項３に記載の動画処理方法。
【請求項２１】
動画処理装置であって、
コンピュータで実行可能なコマンドを記憶するための少なくとも一つのメモリと、
前記少なくとも一つのメモリにアクセスし、かつ前記コンピュータで実行可能なコマンドを実行することで、以下の操作を実施することに単独、又は共同で用いられる少なくとも一つのプロセッサと、を含み、前記操作は、
第１画像ブロックの時間領域参照ブロックの動きベクトルを確定し、ここで、前記時間領域参照ブロック、及び前記第１画像ブロックは、異なる画像に位置することと、
前記時間領域参照ブロックの動きベクトルが特定参照画像を指向する場合、又は前記第１画像ブロックの参照画像が特定参照画像である場合、処理後の前記時間領域参照ブロックの動きベクトルに基づいて、前記第１画像ブロックの動きベクトルを確定し、前記処理後の前記時間領域参照ブロックの動きベクトル、及び処理前の時間領域参照ブロックの動きベクトルは、同じであることと、又は
前記時間領域参照ブロックの動きベクトルが特定参照画像を指向する場合、又は前記第１画像ブロックの参照画像が特定参照画像である場合、前記時間領域参照ブロックの動きベクトルを参照することを放棄することで前記第１画像ブロックの動きベクトルを取得することと、又は
前記時間領域参照ブロックの動きベクトルが特定参照画像を指向する場合、又は前記第１画像ブロックの参照画像が特定参照画像である場合、前記時間領域参照ブロックの動きベクトルを前記第１画像ブロックの動きベクトルとすることと、である装置。
【請求項２２】
コンピュータに請求項１〜２０のいずれか一項に記載の動画処理方法を実行させるための、プログラム。
【請求項２３】
請求項２１に記載の動画処理装置を含む符号化デバイス。
【請求項２４】
請求項２１に記載の動画処理装置を含む復号化デバイス。
【手続補正２】
【補正対象書類名】明細書
【補正対象項目名】発明の名称
【補正方法】変更
【補正の内容】
【発明の名称】動画処理方法、動画処理装置、プログラム、符号化デバイス、及び復号化デバイス
【手続補正３】
【補正対象書類名】明細書
【補正対象項目名】０３１８
【補正方法】変更
【補正の内容】
【０３１８】
以上に述べたのは、本出願の具体的な実施形態に過ぎないが、本出願の保護範囲は、これに限定されるわけではなく、当業者はいずれも本出願により開示される技術範囲内において、変更又は置換を容易に想到でき、いずれも本出願の保護範囲内に含まれるものとする。従って、本出願の保護範囲は、記載された特許請求の範囲の保護範囲を基準とする。
［項目１］
動画処理方法であって、上記方法は、
第１画像ブロックの時間領域参照ブロックの動きベクトルを確定し、ここで、上記時間領域参照ブロック、及び上記第１画像ブロックは、異なる画像に位置することと、
上記時間領域参照ブロックの動きベクトルが特定参照画像を指向する場合、又は上記第１画像ブロックの参照画像が特定参照画像である場合、処理後の上記時間領域参照ブロックの動きベクトルに基づいて、上記第１画像ブロックの動きベクトルを確定し、上記処理後の上記時間領域参照ブロックの動きベクトル、及び処理前の時間領域参照ブロックの動きベクトルは、同じであることと、又は
上記時間領域参照ブロックの動きベクトルが特定参照画像を指向する場合、又は上記第１画像ブロックの参照画像が特定参照画像である場合、上記時間領域参照ブロックの動きベクトルを参照することを放棄することで上記第１画像ブロックの動きベクトルを取得することと、又は
上記時間領域参照ブロックの動きベクトルが特定参照画像を指向する場合、又は上記第１画像ブロックの参照画像が特定参照画像である場合、上記時間領域参照ブロックの動きベクトルを上記第１画像ブロックの動きベクトルとすることと、を含む動画処理方法。
［項目２］
上記処理後の上記時間領域参照ブロックの動きベクトルは、
数値を１とするスケーリング比率に基づいて、上記時間領域参照ブロックの動きベクトルをスケーリング後に得られた動きベクトル、又は
スケーリングステップをスキップした上記時間領域参照ブロックの動きベクトルを含む項目１に記載の動画処理方法。
［項目３］
上記方法は、
上記時間領域参照ブロックの動きベクトルが非特定参照画像を指向し、かつ上記第１画像ブロックの参照画像が非特定参照画像である場合、上記時間領域参照ブロックの動きベクトルが指向する参照画像と上記時間領域参照ブロックがある画像との間の時間距離、及び上記第１画像ブロックの参照画像と上記第１画像ブロックがある画像との間の時間距離に基づいて、上記第１画像ブロックの動きベクトルを確定することをさらに含む項目１又は２に記載の動画処理方法。
［項目４］
上記方法は、
上記時間領域参照ブロックの動きベクトルが指向する参照画像と上記時間領域参照ブロックがある画像との間の時間距離、及び上記第１画像ブロックの参照画像と上記第１画像ブロックがある画像との間の時間距離に基づいて、上記時間領域参照ブロックの動きベクトルのスケーリング比率を確定することと、
上記スケーリング比率でスケーリング後の上記時間領域参照ブロックの動きベクトルに基づいて、上記第１画像ブロックの動きベクトルを確定することと、を含む項目３に記載の動画処理方法。
［項目５］
上記方法は、
上記第１画像ブロックの動き情報候補リストを構築し、上記動き情報候補リストは、上記第１画像ブロックの空間領域参照ブロックの動きベクトルと上記第１画像ブロックの参照フレームインデックス値とのうちの少なくとも一つを含み、ここで、上記空間領域参照ブロック、及び上記第１画像ブロックは、同じ画像に位置することと、
上記第１画像ブロックの動き情報候補リストに基づいて、上記第１画像ブロックの動きベクトルを確定することと、をさらに含む項目１〜４のいずれか一項に記載の動画処理方法。
［項目６］
上記処理後の上記時間領域参照ブロックの動きベクトルに基づいて、上記第１画像ブロックの動きベクトルを確定することは、
上記処理後の上記時間領域参照ブロックの動きベクトルを上記動きベクトル候補リストに加えることを含み、
又は、上記時間領域参照ブロックの動きベクトルを参照することを放棄することで上記第１画像ブロックの動きベクトルを取得することは、
上記時間領域参照ブロックの動きベクトルを上記動きベクトル候補リストに加えることを放棄することを含む項目５に記載の動画処理方法。
［項目７］
上記第１画像ブロックは、符号化ユニットＣＵである項目５又は６に記載の動画処理方法。
［項目８］
上記第１画像ブロックは、第２画像ブロックの一部であり、上記方法は、
上記第１画像ブロックの動き情報候補リストを構築し、上記動き情報候補リストは、上記第２画像ブロックの空間領域参照ブロックの動きベクトルと上記第１画像ブロックの参照フレームインデックス値とのうちの少なくとも一つを含み、ここで、上記空間領域参照ブロック、及び上記第２画像ブロックは、同じ画像に位置することと、
上記第１画像ブロックの動き情報候補リストに基づいて、上記第２画像ブロックの動きベクトルを確定することと、をさらに含む項目１〜３のいずれか一項に記載の動画処理方法。
［項目９］
上記第１画像ブロックの参照フレームインデックス値と上記第２画像ブロックの参照フレームインデックス値とは同じであり、又は、
上記第１画像ブロックの参照フレームインデックス値は、上記第２画像ブロックの参照フレームインデックス値に基づいて確定される項目８に記載の動画処理方法。
［項目１０］
上記処理後の上記時間領域参照ブロックの動きベクトルに基づいて、上記第１画像ブロックの動きベクトルを確定することは、
上記処理後の上記時間領域参照ブロックの動きベクトルを上記第２画像ブロックの動き情報候補リストに加えることを含み、
又は、上記時間領域参照ブロックの動きベクトルを参照することを放棄することで上記第１画像ブロックの動きベクトルを取得することは、
上記時間領域参照ブロックの動きベクトルを上記第２画像ブロックの動き情報候補リストに加えることを放棄することを含む項目８又は９に記載の動画処理方法。
［項目１１］
上記第２画像ブロックは、符号化ユニットＣＵであり、上記第１画像ブロックは、上記符号化ユニットにおけるサブ画像ブロックであり、上記サブ画像ブロックは、上記符号化ユニットから分割されて得られる項目１、８又は９に記載の動画処理方法。
［項目１２］
上記第１画像ブロックの時間領域参照ブロックの動きベクトルを確定することは、
上記第１画像ブロックの参照画像セットにおいて、上記第１画像ブロックがある画像と距離が最も近い画像を確定することと、
確定された上記画像に基づいて、上記第１画像ブロックの時間領域参照ブロック、及び上記時間領域参照ブロックの動きベクトルを確定することと、を含む項目１〜１１のいずれか一項に記載の動画処理方法。
［項目１３］
上記時間領域参照ブロックは、上記確定された画像において、上記第１画像ブロックの位置と同じ画像ブロックであり、又は、
上記時間領域参照ブロックは、上記第１画像ブロックに隣接する画像ブロックの動きベクトルが上記確定された画像で指向する画像ブロックであり、又は、
上記時間領域参照ブロックは、上記第１画像ブロックに隣接する画像ブロックの動きベクトルが上記確定された画像で指向する位置の数値カットオフされた位置に対応する画像ブロックであり、又は、
上記時間領域参照ブロックは、上記確定された画像において、上記第１画像ブロックの位置と同じ画像ブロックの動きベクトルが指向する画像ブロックであり、又は、
上記時間領域参照ブロックは、上記確定された画像において、上記第１画像ブロックの位置と同じ画像ブロックの特定隣接画像ブロックであり、又は、
上記時間領域参照ブロックは、上記確定された画像において、上記第１画像ブロックの位置と同じ画像ブロックの特定隣接画像ブロックの動きベクトルが指向する画像ブロックである項目１２に記載の動画処理方法。
［項目１４］
上記第１画像ブロックの時間領域参照ブロックの動きベクトルを確定することは、
上記第１画像ブロックがある画像において、上記第１画像ブロックの特定隣接画像ブロックを確定することと、
上記特定隣接画像ブロックの参照画像に基づいて、上記第１画像ブロックの時間領域参照ブロック、及び上記時間領域参照ブロックの動きベクトルを確定することと、を含む項目１〜１１のいずれか一項に記載の動画処理方法。
［項目１５］
上記時間領域参照ブロックは、上記特定隣接画像ブロックの参照画像において、上記第１画像ブロックの位置と同じ画像ブロックであり、又は、
上記時間領域参照ブロックは、上記特定隣接画像ブロックの参照画像において、上記特定隣接画像ブロックの位置と同じ画像ブロックであり、又は、
上記時間領域参照ブロックは、上記特定隣接画像ブロックの動きベクトルが指向する画像ブロックである項目１４に記載の動画処理方法。
［項目１６］
上記第１画像ブロックの特定隣接画像ブロックを確定することは、
上記第１画像ブロックがある画像において、特定走査順序により第１の隣接画像ブロックを取得することと、又は、
上記第１画像ブロックがある画像において、特定走査順序により上記第１画像ブロックと同じ参照フレームインデックス値を有する第１の隣接画像ブロックを得ることと、又は、
特定走査順序により動き情報を有する第１の画像ブロックを得ることと、又は、
特定走査順序により上記第１画像のデフォルトされた参照画像と同じ第１の隣接画像ブロックを得ることと、を含む項目１４に記載の動画処理方法。
［項目１７］
上記特定走査順序は、上記第１ブロックを検索起点とし、
下から上へ、左から右へ、右から左へ、上から下へとのうちの一つの方向に沿って走査順序とする項目１６に記載の動画処理方法。
［項目１８］
上記特定参照画像は、長期参照画像、合成フレーム、出力されないフレームのうちの少なくとも一つを含む項目１〜１４のいずれか一項に記載の方法。
［項目１９］
上記方法は、
上記参照画像が出力されないフレームであると確定し、上記参照画像が合成フレームである確定する場合、上記参照画像を上記特定参照画像であると確定することをさらに含む項目１〜１５のいずれか一項に記載の方法。
［項目２０］
上記非特定参照画像は、短期参照画像を含む項目１〜１６のいずれか一項に記載の方法。
［項目２１］
動画処理装置であって、
コンピュータで実行可能なコマンドを記憶するための少なくとも一つのメモリと、
上記少なくとも一つのメモリにアクセスし、かつ上記コンピュータで実行可能なコマンドを実行することで、以下の操作を実施することに単独、又は共同で用いられる少なくとも一つのプロセッサと、を含み、上記操作は、
第１画像ブロックの時間領域参照ブロックの動きベクトルを確定し、ここで、上記時間領域参照ブロック、及び上記第１画像ブロックは、異なる画像に位置することと、
上記時間領域参照ブロックの動きベクトルが特定参照画像を指向する場合、又は上記第１画像ブロックの参照画像が特定参照画像である場合、処理後の上記時間領域参照ブロックの動きベクトルに基づいて、上記第１画像ブロックの動きベクトルを確定し、上記処理後の上記時間領域参照ブロックの動きベクトル、及び処理前の時間領域参照ブロックの動きベクトルは、同じであることと、又は
上記時間領域参照ブロックの動きベクトルが特定参照画像を指向する場合、又は上記第１画像ブロックの参照画像が特定参照画像である場合、上記時間領域参照ブロックの動きベクトルを参照することを放棄することで上記第１画像ブロックの動きベクトルを取得することと、又は
上記時間領域参照ブロックの動きベクトルが特定参照画像を指向する場合、又は上記第１画像ブロックの参照画像が特定参照画像である場合、上記時間領域参照ブロックの動きベクトルを上記第１画像ブロックの動きベクトルとすることと、である装置。
［項目２２］
上記処理後の上記時間領域参照ブロックの動きベクトルは、
数値を１とするスケーリング比率に基づいて、上記時間領域参照ブロックの動きベクトルをスケーリング後に得られた動きベクトル、又は
スケーリングステップをスキップした上記時間領域参照ブロックの動きベクトルを含む項目２１に記載の動画処理装置。
［項目２３］
上記プロセッサは、さらに、
上記時間領域参照ブロックの動きベクトルが非特定参照画像を指向し、かつ上記第１画像ブロックの参照画像が非特定参照画像である場合、上記時間領域参照ブロックの動きベクトルが指向する参照画像と上記時間領域参照ブロックがある画像との間の時間距離、及び上記第１画像ブロックの参照画像と上記第１画像ブロックがある画像との間の時間距離に基づいて、上記第１画像ブロックの動きベクトルを確定するためのものである項目２１又は２２に記載の動画処理装置。
［項目２４］
上記プロセッサは、
上記時間領域参照ブロックの動きベクトルが指向する参照画像と上記時間領域参照ブロックがある画像との間の時間距離、及び上記第１画像ブロックの参照画像と上記第１画像ブロックがある画像との間の時間距離に基づいて、上記時間領域参照ブロックの動きベクトルのスケーリング比率を確定し、
上記スケーリング比率でスケーリング後の上記時間領域参照ブロックの動きベクトルに基づいて、上記第１画像ブロックの動きベクトルを確定するために用いられる項目２３に記載の動画処理装置。
［項目２５］
上記プロセッサは、さらに、
上記第１画像ブロックの動き情報候補リストを構築し、上記動き情報候補リストは、上記第１画像ブロックの空間領域参照ブロックの動きベクトルと上記第１画像ブロックの参照フレームインデックス値とのうちの少なくとも一つを含み、ここで、上記空間領域参照ブロック、及び上記第１画像ブロックは、同じ画像に位置し、
上記第１画像ブロックの動き情報候補リストに基づいて、上記第１画像ブロックの動きベクトルを確定するためのものである項目２１〜２４のいずれか一項に記載の動画処理装置。
［項目２６］
上記処理後の上記時間領域参照ブロックの動きベクトルに基づいて、上記第１画像ブロックの動きベクトルを確定することは、
上記処理後の上記時間領域参照ブロックの動きベクトルを上記動きベクトル候補リストに加えることを含み、
又は、上記時間領域参照ブロックの動きベクトルを参照することを放棄することで上記第１画像ブロックの動きベクトルを取得することは、
上記時間領域参照ブロックの動きベクトルを上記動きベクトル候補リストに加えることを放棄することを含む項目２５に記載の動画処理装置。
［項目２７］
上記第１画像ブロックは、符号化ユニットＣＵである項目２５又は２６に記載の動画処理装置。
［項目２８］
上記第１画像ブロックは、第２画像ブロックの一部であり、上記プロセッサは、さらに、
上記第１画像ブロックの動き情報候補リストを構築し、上記動き情報候補リストは、上記第２画像ブロックの空間領域参照ブロックの動きベクトルと上記第１画像ブロックの参照フレームインデックス値とのうちの少なくとも一つを含み、ここで、上記空間領域参照ブロック、及び上記第２画像ブロックは、同じ画像に位置し、
上記第１画像ブロックの動き情報候補リストに基づいて、上記第２画像ブロックの動きベクトルを確定するためのものである項目２１〜２３のいずれか一項に記載の動画処理装置。
［項目２９］
上記第１画像ブロックの参照フレームインデックス値と上記第２画像ブロックの参照フレームインデックス値とは同じであり、又は、
上記第１画像ブロックの参照フレームインデックス値は、上記第２画像ブロックの参照フレームインデックス値に基づいて確定される項目２８に記載の動画処理装置。
［項目３０］
上記処理後の上記時間領域参照ブロックの動きベクトルに基づいて、上記第１画像ブロックの動きベクトルを確定することは、
上記処理後の上記時間領域参照ブロックの動きベクトルを上記第２画像ブロックの動き情報候補リストに加えることを含み、
又は、上記時間領域参照ブロックの動きベクトルを参照することを放棄することで上記第１画像ブロックの動きベクトルを取得することは、
上記時間領域参照ブロックの動きベクトルを上記第２画像ブロックの動き情報候補リストに加えることを放棄することを含む項目２８又は２９に記載の動画処理装置。
［項目３１］
上記第２画像ブロックは、符号化ユニットＣＵであり、上記第１画像ブロックは、上記符号化ユニットにおけるサブ画像ブロックであり、上記サブ画像ブロックは、上記符号化ユニットから分割されて得られる項目２１、２８又は２９に記載の動画処理装置。
［項目３２］
上記第１画像ブロックの時間領域参照ブロックの動きベクトルを確定することは、
上記第１画像ブロックの参照画像セットにおいて、上記第１画像ブロックがある画像と距離が最も近い画像を確定することと、
確定された上記画像に基づいて、上記第１画像ブロックの時間領域参照ブロック、及び上記時間領域参照ブロックの動きベクトルを確定することと、を含む項目２１〜３１のいずれか一項に記載の動画処理装置。
［項目３３］
上記時間領域参照ブロックは、上記確定された画像において、上記第１画像ブロックの位置と同じ画像ブロックであり、又は、
上記時間領域参照ブロックは、上記第１画像ブロックに隣接する画像ブロックの動きベクトルが上記確定された画像で指向する画像ブロックであり、又は、
上記時間領域参照ブロックは、上記第１画像ブロックに隣接する画像ブロックの動きベクトルが上記確定された画像で指向する位置の数値カットオフされた位置に対応する画像ブロックであり、又は、
上記時間領域参照ブロックは、上記確定された画像において、上記第１画像ブロックの位置と同じ画像ブロックの動きベクトルが指向する画像ブロックであり、又は、
上記時間領域参照ブロックは、上記確定された画像において、上記第１画像ブロックの位置と同じ画像ブロックの特定隣接画像ブロックであり、又は、
上記時間領域参照ブロックは、上記確定された画像において、上記第１画像ブロックの位置と同じ画像ブロックの特定隣接画像ブロックの動きベクトルが指向する画像ブロックである項目３２に記載の動画処理装置。
［項目３４］
上記第１画像ブロックの時間領域参照ブロックの動きベクトルを確定することは、
上記第１画像ブロックがある画像において、上記第１画像ブロックの特定隣接画像ブロックを確定することと、
上記特定隣接画像ブロックの参照画像に基づいて、上記第１画像ブロックの時間領域参照ブロック、及び上記時間領域参照ブロックの動きベクトルを確定することと、を含む項目２１〜３１のいずれか一項に記載の動画処理装置。
［項目３５］
上記時間領域参照ブロックは、上記特定隣接画像ブロックの参照画像において、上記第１画像ブロックの位置と同じ画像ブロックであり、又は、
上記時間領域参照ブロックは、上記特定隣接画像ブロックの参照画像において、上記特定隣接画像ブロックの位置と同じ画像ブロックであり、又は、
上記時間領域参照ブロックは、上記特定隣接画像ブロックの動きベクトルが指向する画像ブロックである項目３４に記載の動画処理装置。
［項目３６］
上記第１画像ブロックの特定隣接画像ブロックを確定することは、
上記第１画像ブロックがある画像において、特定走査順序により第１の隣接画像ブロックを得ることと、又は、
上記第１画像ブロックがある画像において、特定走査順序により上記第１画像ブロックと同じ参照フレームインデックス値を有する第１の隣接画像ブロックを得ることと、又は、
特定走査順序により動き情報を有する第１の画像ブロックを得ることと、又は、
特定走査順序により上記第１画像のデフォルトされた参照画像と同じ第１の隣接画像ブロックを得ることと、を含む項目３４に記載の動画処理装置。
［項目３７］
上記特定走査順序は、上記第１ブロックを検索起点とし、下から上へ、左から右へ、右から左へ、上から下へとのうちの一つの方向に沿って走査順序とする項目３６に記載の動画処理装置。
［項目３８］
上記特定参照画像は、長期参照画像、合成フレーム、出力されないフレームのうちの少なくとも一つを含む項目２１〜３４のいずれか一項に記載の装置。
［項目３９］
上記プロセッサは、さらに、
上記参照画像が出力されないフレームであると確定し、及び上記参照画像が合成フレームである確定する場合、上記参照画像を上記特定参照画像であると確定するためのものである項目２１〜３５のいずれか一項に記載の装置。
［項目４０］
上記非特定参照画像は、短期参照画像を含む項目２１〜３６のいずれか一項に記載の装置。
［項目４１］
コンピュータで読み取り可能な記憶媒体であって、
これにはコマンドが記憶され、コマンドがコンピュータで運用される場合、コンピュータに項目１〜２０のいずれか一項に記載の画像処理方法を実行させるコンピュータで読み取り可能な記憶媒体。
［項目４２］
項目２１〜３９のいずれか一項に記載の動画処理装置を含む符号化デバイス。
［項目４３］
項目２１〜３９のいずれか一項に記載の動画処理装置を含む復号化デバイス。